(57)【要約】【課題】番組表を取得する地域を設定するために、電話番号の入力や地域名を設定しなけれならない。【解決手段】ネットワークの設定に必須のアクセスポイントの設定だけで、番組表を取得する地域を設定できる。【選択図】  図１
2004274222.tif 000002
【特許請求の範囲】
【請求項１】
ネットワークから番組情報を取得する電子番組表受信装置において、ネットワークにアクセスするために設定されたアクセスポイントから、上記装置が存在する地域を判定し、その地域の番組情報を受信することを特徴とする電子番組表受信装置。
【請求項２】
放送信号を自動的にスキャンして、番組が放送されているチャンネルを検索し、アクセスポイントと組み合わせて、地域の判定精度を高めることを特徴とする請求項１記載の電子番組表受信装置。
【請求項３】
ネットワークから番組情報を取得する電子番組表受信方法で、アクセスポイントを設定するステップと、設定されたアクセスポイントからアクセスポイントが存在する地域名を決定するステップと、その地域の番組情報を受信するステップを備えたことを特徴とする電子番組表受信方法。
【請求項４】
オートスキャンするステップと、オートスキャンされたチャンネルから地域名を決定するステップと、アクセスポイントから決定された地域名の両者から、最終の地域名を決定するステップを備えたことを特徴とする請求項３記載の電子番組表受信方法。
【請求項５】
請求項３または請求項４記載の電子番組表受信方法をコンピュータに実行させるためのプログラム。
【請求項６】
請求項５記載のプログラムを担持した媒体であって、コンピュータにより処理可能な媒体。
【発明の詳細な説明】
【０００１】
【発明の属する技術分野】
本発明は番組情報データをネットワークから受信する装置及び方法に関するものである。
【０００２】
【従来の技術】
近年、インターネットの進展により番組情報データをネットワークから受信できるテレビやパソコンなどが続々と発売されている（例えば特許文献１参照。）。
【０００３】
【特許文献１】
特許第３３０５７２７号公報（第１９頁、第１２図）
【０００４】
【発明が解決しようとする課題】
前記機器がネットワークから番組情報を取得するサーバーは、全国の地域の番組情報を格納している。各受信機器は番組情報データを取得したい地域を指定して、サーバーからその地域のデータのみを受信する必要がある。地域を指定するために、利用者は電話番号を入力するか、地域を選択するかしなければならない。しかし、電話番号入力や地域選択が煩わしい作業である上に、電話番号と地域は必ずしも一致せず、地域の境界ではどちらの地域に属するか判断し難いため、地域を正確に設定できない課題がある。
【０００５】
【課題を解決するための手段】
上記問題点を解決するために、本発明に係る電子番組表受信装置は、ネットワークに接続するために設定されたアクセスポイントから電子番組表受信装置が存在する地域を判定し、利用者が地域設定をせずに、その地域の番組情報を受信することを特徴とする。
【０００６】
また、本発明に係る電子番組表受信装置はオートスキャン部を有し、オートスキャンで得られた情報とアクセスポイントを組み合わせて、地域の判定精度を高めることを特徴とする。
【０００７】
【発明の実施の形態】
（実施の形態１）
以下本発明の実施の形態１による電子番組表受信装置について図１、図３、図５、図６を参照しながら説明する。
【０００８】
図１は、本実施の形態１による電子番組表受信装置の構成を示すブロック図である。図１において、１０１は入力部、１０２は地域判定部、１０３はアクセスポイント設定部、１０４はアクセスポイント設定データ格納部、１０５は表示制御部、１０６は表示部、１０７はデータ取得制御部、１０８通信部、１０９は地域設定データ格納部である。
【０００９】
次に本実施の形態による電子番組表表示装置の動作について説明する。図３は処理の流れを示すフロー図である。アクセスポイント設定部１０３がアクセスポイント設定データ格納部１０４からアクセスポイントを設定するための情報を取り出す。図５はアクセスポイント設定データの一例であり、京都Ａ、京都Ｂ、枚方などがアクセスポイントとして存在することを示す。本データを表示制御部１０５が表示部１０６に表示する（Ｓ３０１）。アクセスポイントの一覧をリストや表などで表示させ、ユーザーに選択して貰って、アクセスポイントを設定することが良く行なわれる。ユーザーは表示部１０６に表示されたアクセスポイントに関する情報に対して、アクセスポイントを確定する情報を入力部１０１から入力する。確定されたアクセスポイントは地域判定部１０２に送られる（Ｓ３０２）。地域判定部１０２は地域設定データ格納部１０９に格納されたアクセスポイントと地域の関係を記述するデータを取得し、アクセスポイントが属する地域を決定する（Ｓ３０３）。地域とは別々の番組表が存在する地方の名称であり、番組表の作成者が全国を分けた地域と同一である。図６に地域設定データの一例を示す。図６ではアクセスポイント大阪Ａに属する地域として、大阪と枚方が存在することを示す。本例の様に、アクセスポイントと地域が一対一に対応しない場合も起こりうるが、この場合、昇順に並べた地域から最初の地域を選択するなどの方法で地域を一個に絞る。地域が決定された後、データ取得制御部１０７が通信部１０８を介して、その地域の番組情報を取得する。通信部１０８はインターネットを介して番組情報を取得することや放送電波から取得するなどの方法で実現される。
【００１０】
（実施の形態２）
以下、本発明の実施の形態２による電子番組表表示装置について図２、図４、図７を参照しながら説明する。図２は、本実施の形態２による電子番組表受信装置の構成を示すブロック図である。図２において図１と同じ番号の構成部は図１と同じである。図２において、２１０はオートスキャン制御部、２１１はチューナー、２１２は信号受信部である。
【００１１】
次に本実施の形態による電子番組表表示装置の動作について説明する。図４は処理の流れを示すフロー図である。図４において、図３と同じ番号のステップでは図３と同じ処理を行う。アクセスポイントが確定された後、地域判定部１０２は地域設定データ格納部１０９に格納されたアクセスポイントと地域の関係を記述するデータを取得し、アクセスポイントが属する地域を決定する。（Ｓ４０５）実施の形態１では地域を一個に絞ったが、本実施の形態では可能性のある地域を全て列挙する。アクセスポイントが大阪Ａである場合、図６の地域設定データでは大阪と枚方が可能性のある地域である。本実施例ではオートスキャン後の結果を地域絞込みに用いる。オートスキャン制御部２１０がチューナー２１１を制御し、信号受信部２１２から受信した信号から放送が存在するチャンネルを取得する。地域判定部１０２は地域放送情報データ格納部２１３から地域と地域で放送されるチャンネルの一覧データを取得する。図７は地域放送情報データの一例であり、大阪には１、２などのチャンネルが受信できることを示す。地域判定部１０２はオートスキャンの結果と比較し、可能性のある地域を列挙する（Ｓ４０６）。判断方法はオートスキャンされたチャンネルを最も多く含む地域を候補とするなどがある。
【００１２】
アクセスポイントから列挙した地域とオートスキャンの結果から列挙した地域を比較して、地域判定部１０２は地域を決定する（Ｓ４０７）。
【００１３】
【発明の効果】
以上のように本発明によれば、ネットワークの設定に必須なアクセスポイントの設定だけで、地域を決定し、その地域の番組表を取得できる。また本発明によれば、オートスキャンの結果を用いて、より正確な地域判定を行なえる。
【図面の簡単な説明】
【図１】本発明の実施の形態１による電子番組表受信装置の構成を示すブロック図
【図２】本発明の実施の形態２による電子番組表受信装置の構成を示すブロック図
【図３】本発明の実施の形態１による電子番組表受信装置の処理の流れを示す図
【図４】本発明の実施の形態２による電子番組表受信装置の処理の流れを示す図
【図５】本発明の実施の形態１によるアクセスポイント設定データの一例を示す図
【図６】本発明の実施の形態１による地域設定データの一例を示す図
【図７】本発明の実施の形態２による地域放送情報データの一例を示す図
【符号の説明】
１０１  入力部
１０２  地域判定部
１０３  アクセスポイント設定部
１０４  アクセスポイント設定データ格納部
１０５  表示制御部
１０６  表示部
１０７  データ取得制御部
１０８  通信部
１０９  地域設定データ格納部
２１０  オートスキャン制御部
２１１  チューナー
２１２  信号受信部
２１３  地域放送情報データ格納部
【図１】
2004274222.tif 000003
【図２】
2004274222.tif 000004
【図３】
2004274222.tif 000005
【図４】
2004274222.tif 000006
【図５】
2004274222.tif 000007
【図６】
2004274222.tif 000008
【図７】
2004274222.tif 000009